(57)【要約】【課題】洗浄機の大型化を回避しつつ、洗浄機の使用場所の制約を緩和する。【解決手段】洗浄液を吐出する洗浄機であって、洗浄液を貯留するタンク２０、タンク２０から供給される洗浄液を加圧するポンプ３０、ポンプ３０を駆動する電動モータ３１および電動モータ３１の電源である電池４０が収容される電池収容部４１を備えた本体１と、本体１から供給される洗浄液を噴射する噴射ノズルを備えた洗浄ガンとを有し、ポンプ３０および電動モータ３１が本体１の下部に配置され、タンク２０が本体１の上部に配置され、電池収容部４１がポンプ３０および電動モータ３１とタンク２０との間に配置されている。【選択図】図５
2014046283.tif 000002
【特許請求の範囲】
【請求項１】
洗浄液を吐出する洗浄機であって、
洗浄液を貯留するタンク部と、前記洗浄液を噴射するノズル部と、前記タンク部の下方に位置し電池を電源として前記ノズル部に前記洗浄液を送る駆動部と、を備え、
前記電池が前記駆動部の上方に配置されることを特徴とする洗浄機。
【請求項２】
前記電池が前記駆動部と前記タンク部との間に配置されることを特徴とする請求項１に記載の洗浄機。
【請求項３】
洗浄液を吐出する洗浄機であって、
洗浄液を貯留するタンクと、前記タンクから供給される洗浄液を送り出すポンプと、前記ポンプを駆動する電動モータと、前記電動モータの電源である電池が収容される電池収容部とを備えた本体と、
前記本体から供給される洗浄液を噴射するノズルを備えた噴射装置と、を有し、
前記ポンプおよび前記電動モータは前記本体の下部に配置され、
前記タンクは前記本体の上部に配置され、
前記電池収容部は、前記ポンプおよび前記電動モータと前記タンクとの間に配置されていることを特徴とする洗浄機。
【請求項４】
前記タンクの底面には傾斜部が設けられており、
前記電池収容部は、前記ポンプおよび前記電動モータと前記タンクの前記傾斜部との間に配置されていることを特徴とする請求項３に記載の洗浄機。
【請求項５】
前記電池収容部は前記タンクの前記傾斜部に沿って傾斜しており、
前記電池は、前記本体に対して斜めに出し入れされることを特徴とする請求項４に記載に洗浄機。
【請求項６】
前記電池収容部は水平であり、
前記電池は、前記本体に対して水平に出し入れされることを特徴とする請求項４に記載の洗浄機。
【請求項７】
前記タンクの底部には前記ポンプに連通する供給口が設けられており、
前記タンクの前記傾斜部は、前記供給口に向かって下方に傾斜していることを特徴とする請求項４乃至請求項６のいずれかに記載の洗浄機。
【請求項８】
前記供給口は前記ポンプ及び前記電動モータの上方であって前記電池収容部の横に配置されていることを特徴とする請求項７に記載の洗浄機。
【請求項９】
前記傾斜部の傾斜方向と前記電池の出し入れ方向が略同じであることを特徴とする請求項５に記載の洗浄機。
【請求項１０】
洗浄液を吐出する洗浄機であって、
洗浄液を貯留するタンクと、前記タンクから供給される洗浄液を送り出すポンプと、前記ポンプを駆動する電動モータと、前記電動モータの電源である電池が収容される電池収容部とを備えた本体と、
前記本体から供給される洗浄液を噴射するノズルを備えた噴射装置と、を有し、
前記ポンプおよび前記電動モータは前記本体の下部に配置され、
前記タンクは前記本体の上部に配置され、
前記タンクには、該タンクの内側に向かって窪んだ凹部が設けられており、該凹部の内側に前記電池収容部が設けられていることを特徴とする洗浄機。
【請求項１１】
前記凹部が前記タンクの下部に設けられていることを特徴とする請求項１０に記載の洗浄機。
【請求項１２】
前記凹部が前記タンクの上部に設けられていることを特徴とする請求項１０に記載の洗浄機。
【請求項１３】
前記タンクは外部から洗浄液を注入する給水口を有し、
前記吸水口は、前記本体の左右中心を通り上下に延びる仮想線に対して前記電池収容部の反対側に配置されていることを特徴とする請求項３乃至請求項１２のいずれかに記載の洗浄機。
【請求項１４】
前記ポンプは前記タンクから供給される洗浄液を加圧することを特徴とする請求項３乃至請求項１３のいずれかに記載の洗浄機。
【発明の詳細な説明】
【技術分野】
【０００１】
本発明は洗浄機に関するものである。
【背景技術】
【０００２】
洗浄機は、液体を加圧するための電動ポンプを備えた本体と、本体にホースを介して接続された噴射装置とを少なくとも有している。電動ポンプによって加圧された液体はホースを介して噴射装置に圧送され、噴射装置の先端に設けられている噴射ノズルから洗浄対象物に向けて吐出される。
【０００３】
従来、上記のような洗浄機の電源には商用電源が用いられており、使用場所は商用電源が確保できる場所に限られていた。また、洗浄機を使用する際には、洗浄機と水道の蛇口とがホースを介して接続され、洗浄機に水道水が直接供給されていた。よって、水道の蛇口から洗浄機（使用場所）までの距離に応じた長さのホースを用意する必要があり、実質的な使用場所は水道の蛇口の近くに限られていた（特許文献１）。
【先行技術文献】
【特許文献】
【０００４】
【特許文献１】特開２００６−２６３６２８号公報
【発明の概要】
【発明が解決しようとする課題】
【０００５】
使用場所に関する上記のような制約を緩和すべく、電源に電池を用いたり、液体を貯留するタンクを設けたりすることが考えられる。しかし、電源に電池を用いるためには電池を収容するためのスペースを確保する必要があるため洗浄機が大型化してしまう。また、タンクを設ければ、その分だけ洗浄機が大型化してしまうことは自明である。
【０００６】
本発明の目的は、洗浄機の大型化を回避しつつ、洗浄機の使用場所の制約を緩和することである。
【課題を解決するための手段】
【０００７】
本発明の洗浄機は、洗浄液を吐出する洗浄機であって、洗浄液を貯留するタンク部と、前記洗浄液を噴射するノズル部と、前記タンク部の下方に位置し電池を電源として前記ノズル部に前記洗浄液を送る駆動部とを備え、前記電池が前記駆動部の上方に配置される。
【０００８】
本発明の一態様では、前記電池が前記駆動部と前記タンク部との間に配置される。
【０００９】
本発明の洗浄機は、洗浄液を吐出する洗浄機であって、洗浄液を貯留するタンクと、前記タンクから供給される洗浄液を送り出すポンプと、前記ポンプを駆動する電動モータと、前記電動モータの電源である電池が収容される電池収容部とを備えた本体と、前記本体から供給される洗浄液を噴射するノズルを備えた噴射装置とを有し、前記ポンプおよび前記電動モータは前記本体の下部に配置され、前記タンクは前記本体の上部に配置され、前記電池収容部は、前記ポンプおよび前記電動モータと前記タンクとの間に配置される。
【００１０】
本発明の一態様では、前記タンクの底面には傾斜部が設けられており、前記電池収容部は、前記ポンプおよび前記電動モータと前記タンクの前記傾斜部との間に配置される。
【００１１】
本発明の他の態様では、前記電池収容部は前記タンクの前記傾斜部に沿って傾斜しており、前記電池は、前記本体に対して斜めに出し入れされる。
【００１２】
本発明の他の態様では、前記電池収容部は水平であり、前記電池は、前記本体に対して水平に出し入れされる。
【００１３】
本発明の他の態様では、前記タンクの底部には前記ポンプに連通する供給口が設けられ、前記タンクの前記傾斜部は、前記供給口に向かって下方に傾斜している。
【００１４】
本発明の他の態様では、前記供給口は前記ポンプ及び前記電動モータの上方であって前記電池収容部の横に配置される。
【００１５】
本発明の他の態様では、前記傾斜部の傾斜方向と前記電池の出し入れ方向が略同じである。
【００１６】
本発明の洗浄機は、洗浄液を吐出する洗浄機であって、洗浄液を貯留するタンクと、前記タンクから供給される洗浄液を送り出すポンプと、前記ポンプを駆動する電動モータと、前記電動モータの電源である電池が収容される電池収容部とを備えた本体と、前記本体から供給される洗浄液を噴射するノズルを備えた噴射装置とを有し、前記ポンプおよび前記電動モータは前記本体の下部に配置され、前記タンクは前記本体の上部に配置され、前記タンクには、該タンクの内側に向かって窪んだ凹部が設けられ、該凹部の内側に前記電池収容部が設けられる。
【００１７】
本発明の一態様では、前記凹部が前記タンクの下部に設けられる。
【００１８】
本発明の他の態様では、前記凹部が前記タンクの上部に設けられる。
【００１９】
本発明の他の態様では、前記タンクは外部から洗浄液を注入する給水口を有し、前記吸水口は、前記本体の左右中心を通り上下に延びる仮想線に対して前記電池収容部の反対側に配置される。
【００２０】
本発明の他の態様では、前記ポンプは前記タンクから供給される洗浄液を加圧する。
【発明の効果】
【００２１】
本発明によれば、洗浄機の大型化を回避しつつ、洗浄機の使用場所の制約を緩和することができる。また、重量バランスのよい洗浄機を提供することができる。
【図面の簡単な説明】
【００２２】
【図１】本発明が適用された洗浄機の本体を示す斜視図である。
【図２】本発明が適用された洗浄機の本体を示す側面図である。
【図３】本発明が適用された洗浄機の本体を示す正面図である。
【図４】本発明が適用された洗浄機の洗浄ガンを示す側面図である。
【図５】図３に示されるＢ−Ｂ線に沿った本体の縦断面図である。
【図６】図２に示されるＡ−Ａ線に沿った本体の横断面図である。
【図７】タンクの斜視図である。
【図８】本体の他の縦断面図である。
【図９】本発明が適用された洗浄機の変形例を示す縦断面図である。
【図１０】本発明が適用された洗浄機の他の変形例を示す縦断面図である。
【図１１】本発明が適用された洗浄機の他の変形例を示す縦断面図である。
【発明を実施するための形態】
【００２３】
以下、本発明が適用された洗浄機の一例について図面を参照しながら詳細に説明する。本実施形態に係る洗浄機は、図１〜図３に示される本体１と、図４に示される噴射装置としての洗浄ガン２とを有している。本体１と洗浄ガン２とは、図４に示されているホース３を介して接続される。具体的には、洗浄ガン２にはホース３の一端が固定されており、このホース３の不図示の他端が本体１に設けられている接続プラグ４（図１,図３）に接続される。なお、洗浄機から吐出される液体は水道水である場合もあれば、洗剤や研磨材などを含む液体などである場合もある。本明細書では、洗浄機から吐出される液体を“洗浄液”と総称する。
【００２４】
図５に示されるように、本体１は、その下部を構成するベース部１０と、その上部を構成するタンク２０とに大別される。図５および図６に示されるように、ベース部１０内には、ポンプ３０および電動モータ３１を備える駆動部が収容されている。
【００２５】
一方、タンク２０は図７に示される形状を有し、図５に示されるように、ベース部１０の上に重ねて配置され、ベース部１０と一体化されている。具体的には、ベース部１０の内側に嵌め込まれたタンク２０の底部周縁２１がベース部１０の開口部端面１１に重なっている。上記のようにして上下に重ねられたベース部１０とタンク２０のそれぞれの外周面１２,２２は面一であり、全体として本体１の外周面（正面、背面および両側面）を形成している。
【００２６】
図１および図２に示されるように、本体１の一側面には操作部としてのメインスイッチ５が設けられている。メインスイッチ５はダイヤル式であって、メインスイッチ５の回転操作により洗浄機の電源がＯＮ／ＯＦＦされる。本実施形態では、メインスイッチ５を初期位置から時計回りに所定角度だけ回転させると電源がＯＮされて電動モータ３１（図５,６）が起動され、反時計回りに回転させて初期位置に戻すと電源がＯＦＦされて電動モータ３１が停止される。
【００２７】
さらに、メインスイッチ５を時計回りに回転させて電源をＯＮさせた後に、メインスイッチ５を同方向にそのまま回転させると、その操作量（初期位置に対する回転角）に応じて電動モータ３１の回転数が増減される。具体的には、メインスイッチ５の回転角が増大すると電動モータ３１の回転数が上昇し、回転角が減少すると電動モータ３１の回転数が低下する。すなわち、メインスイッチ５は、電動モータ３１の回転数を変化させて洗浄液の吐出圧力を増減させる操作部として機能する。
【００２８】
図５および図６に示されるように、ポンプ３０および電動モータ３１（駆動部）は、ベース部１０の下部に配置されている。すなわち、ポンプ３０および電動モータ３１は、本体１の下部に配置されている。ポンプ３０は、シリンダ３０ａと、シリンダ３０ａ内に往復動可能に収容されたプランジャ３０ｂとを有し、電動モータ３１の回転運動がクランクシャフト３２によって往復運動に変換されてプランジャ３０ｂに伝達される。すなわち、ポンプ３０は、電動モータ３１によって駆動される電動ポンプである。
【００２９】
ポンプ３０のシリンダ３０ａには、洗浄液が流入する流入口と、洗浄液が流出する流出口とが設けられており、流入口および流出口には一方向弁３３,３４がそれぞれ設けられている。また、本体１の内部には、タンク２０の底部に設けられている供給口となる出口（不図示）とシリンダ３０ａの流入口とを連通させる流路３５が設けられている。また、本体１の内部には、シリンダ３０ａの流出口と、本体１の正面に設けられている接続プラグ４とを連通させる流路３６が設けられている。流路３５を介して流入口に導かれた洗浄液は、一方向弁３３を介してシリンダ３０ａ内に流入し、シリンダ３０ａ内で往復運動を繰り返すプランジャ３０ｂによって圧縮される（加圧される）。加圧された洗浄液は一方向弁３４を介してシリンダ３０ａから流出し、流路３６を介して接続プラグ４に送られる。接続プラグ４に送られた洗浄液は、接続プラグ４に接続されているホース３（図２）を介して洗浄ガン２（図４）に送られる。洗浄ガン２に送られた洗浄液は、洗浄ガン２のトリガレバー６が操作されると（引かれると）、洗浄ガン２の先端に設けられている噴射ノズル７から噴射される。
【００３０】
図１や図７などに示されるように、タンク２０の上部には把手２３と、タンク２０内に連通する給水口となる入口２４（図８）とが一体成形されている。入口２４からタンク２０内に洗浄液を供給したり、タンク２０内の洗浄液を排水したりするときには、キャップ２５を本体１（タンク２０）から取り外して入口２４を開口させる。図示されているキャップ２５はねじ込み式であって、反時計回りに回転させると本体１（タンク２０）から外れ、時計回りに回転させると本体１（タンク２０）に固定される。入口２４は、本体１の上下に延びかつ左右の中心を通る仮想線Ｌに対して電池４０と反対側に配置されている。この配置は、入口２４から洗浄液を供給する際に電池４０に洗浄液がかからないようにするためである。なお、電池４０は電池収容部４１及び蓋部材４２によって密閉されているため、仮に洗浄液がこぼれても電池４０にはかからない構成となっている。
【００３１】
図５に示されるように、タンク２０の底面には傾斜部２６が設けられている。傾斜部２６は、タンク２０の背面からタンク２０の底部にある出口（供給口）に向かって下向きに傾斜している。換言すれば、傾斜部２６は、出口に向かって下り勾配を有する。なお、タンク２０の出口が流路３５を介してポンプ３０（シリンダ３０ａ）の流入口に連通されていることは既述のとおりである。
【００３２】
ベース部１０の上に重ねて配置されているタンク２０の底面に傾斜部２６が設けられていることにより、ベース部１０とタンク２０との間にスペースが形成されており、このスペースを利用して電池収容部４１が設けられている。具体的には、図５に示されるように、ベース部１０内であって、ポンプ３０および電動モータ３１の上方に電池収容部４１が設けられている。換言すれば、電池収容部４１は、ポンプ３０および電動モータ３１とタンク２０との間に設けられている。より具体的には、電池収容部４１は、ポンプ３０および電動モータ３１とタンク２０の傾斜部２６との間に設けられている。
【００３３】
図８に示されるように、電池収容部４１には、電動モータ３１（図５）の電源としての電池４０が収容される。電池収容部４１はタンク２０の傾斜部２６に沿って傾斜しており、電池４０は電池収容部４１の傾斜に従って斜めに出し入れされる。具体的には、電池収容部４１の底面４１ａおよび天井面４１ｂはタンク２０の傾斜部２６に沿って傾斜している。
【００３４】
本体１（ベース部１０）の背面には、電池収容部４１を開閉する蓋部材４２が図中の矢印方向に回動可能に設けられている。蓋部材４２を回動させて電池収容部４１を開放することにより、電池４０を電池収容部４１に収容し、または、収容されている電池４０を電池収容部４１から取り出すことができる。電池収容部４１の天井面４１ｂには電極（本体側電極４３）が設けられており、電池収容部４１に電池４０を収容すると、電池４０に設けられている電極（電池側電極４４）が本体側電極４３に接触して電気的導通が確保される。蓋部材４２には電池収容部４１をシールするシール部材が設けられている。シール部材はゴム等の弾性体からなり、蓋部材４２が電池収容部４１を閉塞した際に、外部から電池収容部４１内に水等が侵入することを防止している。
【００３５】
なお、本実施形形態における電池４０は、直列接続された４つの電池セルから構成される電池パック（二次電池（リチウムイオン電池））であり、公称電圧は１４．４［Ｖ］である。また、電池４０には過放電防止回路が設けられており、電圧が所定の第一電圧（以下“放電停止電圧”）に低下すると放電が停止される。本実施形態では、放電停止電圧が８．０[Ｖ]に設定されており、電池４０の電圧が８．０[Ｖ]に低下すると、過放電防止回路によって電池４０の放電が停止される。もっとも、電池４０はリチウムイオン電池に限られるものではなく、二次電池に限られるものでもない。電池４０は、例えば、マンガン電池、ニッケル・水素電池、ニッケル・カドミウム電池などであってもよい。
【００３６】
以上のように、本実施形態に係る洗浄機では、電源に電池４０が用いられ、かつ、洗浄液を貯留するタンク２０を備えているので、商用電源が確保できない場所や水道の蛇口が近くにない場所でも使用することができる。また、本実施形態に係る洗浄機では、ベース部１０の上に重ねられて配置されているタンク２０の底面に傾斜部２６を設けることによってベース部１０とタンク２０との間にスペースを確保し、このスペースを利用して電池収容部４１を設けてある。よって、電池収容部４１やタンク２０が設けられたことによる洗浄機の大型化が可及的に抑制されている。特に、横方向への大型化が回避されており、小さなスペースに設置可能であり、また、持ち運びにも便利な洗浄機となっている。さらに、タンク２０の傾斜部２６がタンク２０に出口に向かって下向きに傾斜しているので、本体１（タンク２０）を傾けたりしなくても、タンク２０内の洗浄液がタンク２０の出口に案内される。また、本体１が傾いた状態の場合、傾斜部２６ではなく平坦面であれば、その角部に洗浄液が溜まってしまい洗浄液を使い切ることが困難であったが、傾斜部２６を設けたことにより本体１が傾いた状態であっても洗浄液が傾斜部２６に沿って出口に流れるため洗浄液を無駄なく使い切ることができる。さらに、出口をポンプ３０及び電動モータ３１の上方であって電池収容部４１の横に配置することで、洗浄液が少なくなった場合に洗浄液と電池４０で重量がバランスし、本体１の重量バランスを良くすることができ、持ち運びし易くできる。
【００３７】
加えて、比較的重量の重い電池４０が本体１の下部またはその近傍に配置されるので本体１が安定する。さらに、ポンプ３０と電動モータ３１も本体１の下部に配置されるため、重量物が本体１の下部に集中し安定する。重量物である駆動部（ポンプ３０、電動モータ３１）を本体１の下方に配置しているため、重量バランスをよくすることができる。本体１を作業者の肩等に掛けて使用する場合、本体１の幅方向の寸法をコンパクトにできるため使い勝手を向上することができる。また洗浄液がなくなり本体１を作業台等に置いた場合、本体１を倒れ難くすることができ洗浄液の給水を容易に行うことができる。
【００３８】
また、電池収容部４１が斜めに傾斜していることで、電池収容部４１と電池４０の出し入れ方向とが略平行となり、作業者が本体１に対して電池４０を出し入れする作業がし易くなる。
【００３９】
図９〜図１１に本実施形態に係る洗浄機の異なる変形例をそれぞれ示す。本実施形態に係る洗浄機における電池収容部４１はタンク２０の傾斜部２６に沿って傾斜していた（図８参照）。しかし、図９に示される洗浄機における電池収容部４１は傾斜していない。具体的には、図９に示される電池収容部４１の天井面４１ｂは全体として水平であり、底面４１ａは水平であり、電池４０は本体１に対して水平に出し入れされる。
【００４０】
もっとも、図９に示される洗浄機における電池収容部４１の配置は、本実施形態に係る洗浄機における電池収容部４１の配置と同一である。すなわち、図９に示される洗浄機においても、ベース部１０の上に重ねられて配置されているタンク２０の底面に傾斜部２６を設けることによってベース部１０とタンク２０との間にスペースを確保し、このスペースを利用して電池収容部４１が設けられている。よって、図９に示される洗浄機も上記と同様の作用効果を奏する。
【００４１】
図１０に示される洗浄機では、タンク２０の下部にタンク２０の内側に向けて窪んだ凹部５０が設けられている。より具体的には、タンク２０の側面中央から底面中央に亘って凹部５０が設けられており、この凹部５０の内側に電池収容部４１が設けられている。すなわち、本実施形態に係る洗浄機ではタンク２０の底面に傾斜部２６を設けることによってベース部１０とタンク２０との間にスペースを確保したのに対し、図１０に示される洗浄機では、タンク２０の底部に凹部５０を設けることによってベース部１０とタンク２０との間にスペースを確保してある。もっとも、図１０に示される洗浄機は、タンク形状を工夫することによって電池収容部４１を設けるためのスペースを確保している点において本実施形態に係る洗浄機と共通しており、本質的特徴において異なるところはない。さらに、図１０に示す洗浄機では、タンク２０の底部中央に設けられた凹部５０の内側に電池収容部４１が設けられているので、比較的重量の重い電池４０が本体１の中心により近い位置に配置されることになる。このため、本体１の安定性がさらに向上する。特に、タンク２０内の洗浄液の量が減少した際における本体１の安定性が向上する。
【００４２】
図１１に示される洗浄機では、タンク２０の上部にタンク２０の内側に向けて窪んだ凹部５１が設けられている。より具体的には、タンク２０の上面中央から背面中央に亘って凹部５１が設けられており、この凹部５１の内側に電池収容部４１が設けられている。もっとも、図１１に示される洗浄機は、タンク形状を工夫することによって電池収容部４１を設けるためのスペースを確保している点において本実施形態に係る洗浄機と共通しており、本質的特徴において異なるところはない。さらに、図１１に示す洗浄機では、タンク２０の上部に設けられた凹部５１の内側に電池収容部４１が設けられているので、電池４０が本体１の高い位置に配置されることになる。このため、電池４０の交換作業が容易になる。特に、本体１が地面その他の低い位置に置かれているときの電池交換作業が容易になる。
【００４３】
本発明は上記実施形態に限定されるものではなく、その要旨を逸脱しない範囲で種々変更可能である。例えば、上記実施形態及びその変形例では、本体１に設けられたメインスイッチ５（図１）の操作量に従って洗浄液の吐出圧力が変化したが、洗浄ガン２に設けられているトリガレバー６（図４）の操作量に従って洗浄液の吐出圧力が変化する実施形態もある。
【符号の説明】
【００４４】
１  本体
２  洗浄ガン
７  噴射ノズル
１０  ベース部
２０  タンク
２６  傾斜部
３０  ポンプ
３１  電動モータ
４０  電池
４１  電池収容部
５０  凹部
５１  凹部
【図１】
2014046283.tif 000003
【図２】
2014046283.tif 000004
【図３】
2014046283.tif 000005
【図４】
2014046283.tif 000006
【図５】
2014046283.tif 000007
【図６】
2014046283.tif 000008
【図７】
2014046283.tif 000009
【図８】
2014046283.tif 000010
【図９】
2014046283.tif 000011
【図１０】
2014046283.tif 000012
【図１１】
2014046283.tif 000013